(57)【要約】  本発明は、細菌の多い部分に紫外線を上下左右に重畳照射することにより、短時間で効果的に殺菌できる紫外線屈曲型殺菌機に関する。  紫外線屈曲型殺菌機は、内部に電源を収容する空間が形成され、上端部に床面と垂直な方向に支持部が形成されたベース部と、長さの中央を中心として一方の側と他方の側とが支持部から同じ角度で傾斜しており、支持部に固定されている複数の屈曲状中央反射部と、石英ガラス材質で形成され、屈曲状中央反射部に外側に向かって紫外線を上下左右に重畳照射するように設けられた中央紫外線ランプと、紫外線ランプを収容する空間が形成され、支持部の上端に固設される上端反射部と、上端反射部の収容空間に設けられ、外側に向かって紫外線を照射する上端紫外線ランプと、を含む。【選択図】図１
2021514286.tif 000002
【特許請求の範囲】
【請求項１】
内部に電源を収容する空間が形成され、上端部に床面と垂直な方向に支持部が形成されたベース部と、
長さの中央を中心として一方の端と他方の端とが前記支持部から同じ角度で傾斜しており、前記支持部に固定されている複数の屈曲状中央反射部と、
石英ガラス材質で形成され、前記屈曲状中央反射部に外側に向かって紫外線を照射するように設けられた中央紫外線ランプと、
収容空間が形成され、前記支持部の上端に固設される上端反射部と、
前記上端反射部の前記収容空間に設けられ、外側に向かって紫外線を照射する上端紫外線ランプと、
を含み、
前記中央紫外線ランプの両端に設けられるホルダーと一方の側が連結され、他方の側が前記屈曲状中央反射部に連結されて、前記屈曲状中央反射部からの前記ホルダーの角度調整を可能にするホルダーアングルを含み、前記ホルダーアングルに前記中央紫外線ランプを組み立てる場合には、「＜」の形または「＞」の形に変形して使用できる、紫外線屈曲型殺菌機。
【請求項２】
複数の前記屈曲状中央反射部は、外側に設けられた前記中央紫外線ランプが照射する紫外線の一部が重畳するように、前記支持部に一定の間隔で設けられる、請求項１に記載の紫外線屈曲型殺菌機。
【請求項３】
前記屈曲状中央反射部は、前記支持部から鋭角に傾斜しており、前記中央紫外線ランプは、前記屈曲状中央反射部の傾斜に対応しており、前記中央紫外線ランプは、屈曲型及び直線型を有する様々な形態の特徴をさらに備える、請求項２に記載の紫外線屈曲型殺菌機。
【請求項４】
前記ベース部は、側面に一定の間隔で設けられ、物体の動きを感知する動作感知センサーと、前記ベース部及び前記支持部に設けられ、電源供給装置から発生する熱を外部に放出する通気口と、を含む、請求項１に記載の紫外線屈曲型殺菌機。
【請求項５】
前記動作感知センサーは、前記電源供給装置と連結されており、前記動作感知センサーが動作を感知したときに前記電源供給装置をターンオフさせ、前記動作感知センサーがオフされた状態でも前記電源供給装置をターンオンさせることができる、請求項４に記載の紫外線屈曲型殺菌機。
【発明の詳細な説明】
【技術分野】
【０００１】
本発明は、紫外線屈曲型殺菌機に係り、さらに詳しくは、特定の領域に紫外線を３６０度全方向に重畳照射することにより殺菌効果を高める紫外線屈曲型殺菌機に関する。
【背景技術】
【０００２】
近年、微細粉塵、自動車排出ガス及び粉塵など各種公害が多く発生している。人々は様々な公害に曝されて病気に簡単に感染してしまう。病気にかかったほとんどの人は、病気を治療するために病院を訪れる。
【０００３】
しかし、多くの患者が検査や治療のために病院にやって来るので、意図せず、治療装置および患者が使用する公共施設などにウイルスが伝染してしまう。
【０００４】
そこで、患者は、治療を受けるために訪れた病院で２次的なウイルス感染環境に曝される恐れがある。
【０００５】
かかる問題を解決するために、病院の設備及び空間に設けられた物品を殺菌する装置の開発が盛んに進んでいる。
【０００６】
開発されている装置の一例として、移動式紫外線殺菌機がある。しかし、移動式紫外線殺菌機をはじめとする、現在開発されている紫外線殺菌機は移動式であり、一部の領域しか殺菌することができない。さらに、このような紫外線殺菌機は、紫外線の照射角度が広くないという問題がある。
【０００７】
また、公衆トイレをはじめ湿気の多い地下室などの公共の場所を清潔に保つために有害な化学薬品を使用することで安全事故が発生したりする。
【０００８】
このような問題を解決するために、薬品の代わりに紫外線殺菌機を用いて清潔を保持できる装置が必要となっていた。
【発明の概要】
【発明が解決しようとする課題】
【０００９】
そこで、本発明が解決しようとする技術的課題は、広い領域（３６０度方向及び天井、床面）に紫外線を照射でき、一部領域、すなわち、人間の手や汚染された物質および装置が最も多く接触するところに、光の光学的特性を用いて紫外線を全方向に重ね合わせることにより、一部領域の殺菌効果を高められる紫外線屈曲型殺菌機を提供することである。
【００１０】
本発明の技術的課題は、以上で言及した課題に限定されるものではなく、言及されていない他の技術的課題は、以下の記載から当業者に明確に理解されるであろう。
【課題を解決するための手段】
【００１１】
上記技術的課題を達成するための本発明の紫外線屈曲型殺菌機は、
内部に電源を収容する空間が形成され、上端部に床面と垂直な方向に支持部が形成されたベース部と、
長さの中央を中心として一方の端と他方の端とが前記支持部から同じ角度で傾斜しており、前記支持部に固定されており、中央紫外線ランプ（屈曲型及び直線型、以下、「中央紫外線ランプ」と称する）の紫外線を四方に重畳反射させて殺菌効果を高められる面を有する複数の屈曲状中央反射部と、
石英ガラス材質で形成され、前記屈曲状中央反射部に外側に向かって紫外線を照射するように設けられた中央紫外線ランプと、
紫外線ランプを収容する空間が形成され、上端紫外線ランプの紫外線を上端に向かって反射させて天井部分の殺菌効果を高められる面を有し、前記支持部の上端に固設される上端反射部と、
前記上端反射部の収容空間に設けられ、外側（天井）に向かって紫外線を照射する上端紫外線ランプと、を含む。
【００１２】
複数の前記屈曲状中央反射部は、外側に設けられた前記中央紫外線ランプが照射する紫外線の一部が重畳するように、前記支持部に一定の間隔で設けられてもよい。
【００１３】
前記屈曲状中央反射部は、前記支持部から鋭角に傾斜しており、前記中央紫外線ランプは、前記屈曲状中央反射部の傾斜に対応しており、前記中央紫外線ランプは、屈曲型及び直線型を有する様々な形態の特徴をさらに備えてもよい。
【００１４】
前記紫外線屈曲型殺菌機は、前記中央紫外線ランプの両端に設けられるホルダーと一方の側が連結され、他方の側が屈曲状中央反射部に連結されて、前記屈曲状中央反射部からの前記ホルダーの角度調整を可能にするホルダーアングルを含み、前記ホルダーアングルに前記中央紫外線ランプを組み立てる場合には、「＜」の形または「＞」の形に変形して使用してもよい。
【００１５】
前記ベース部は、側面に一定の間隔で設けられ、物体の動きを感知する動作感知センサーと、前記ベース部及び支持部に設けられ、電源供給装置から発生する熱を外部に放出する通気口と、を含んでもよい。
【００１６】
前記動作感知センサーは、前記電源供給装置と連結されており、前記動作感知センサーが動作を感知したときに前記電源供給装置がターンオフさせ、前記動作感知センサーがオフされた状態でも前記電源供給装置をターンオンさせることができる。
【発明の効果】
【００１７】
本発明に係る紫外線屈曲型殺菌機は、広範な領域を効果的に殺菌して二次感染を短時間で遮断することができる。さらに、細菌が繁殖しやすい箇所、奥まった箇所や湿った箇所を含めて３６０度全方位的に殺菌効果があり、特に人の手が触れる箇所には紫外線を重畳照射することにより殺菌効果を最大限に高めることができる。
【００１８】
なお、本発明の紫外線屈曲型殺菌機は、殺菌する細菌に応じて強度を調整することにより最適な殺菌効果を発揮することができ、人が近づいたときに自動的に紫外線照射を停止することにより、強い紫外線に人がさらされるのを防ぐことができる。
【図面の簡単な説明】
【００１９】
【図１】本発明の一実施形態に係る紫外線屈曲型殺菌機の斜視図である。
【図２】図１の紫外線屈曲型殺菌機の分解斜視図である。
【図３】図２のホルダーアングルの作動状態を示す作動図である。
【図４】図１の紫外線屈曲型殺菌機の作動に応じて紫外線が重なる領域を示す図である。
【図５】本発明の他の実施形態に係る紫外線屈曲型殺菌機の斜視図である。
【図６】図５の（ｄ）の正面状態及び上端面状態を示す写真である。
【図７】図５の紫外線屈曲型殺菌機から照射される紫外線の重畳分布状態を示す図である。
【図８】本発明の紫外線屈曲型殺菌機の照射量と従来の紫外線殺菌機の照射量とを示すデータである。
【図９】本発明の紫外線屈曲型殺菌機の殺菌性能を立証する資料データである。
【発明を実施するための形態】
【００２０】
本発明の利点及び特徴並びにこれらを達成する方法は、添付図面と結び付けて詳細に後述する実施形態を参照すれば明らかになるであろう。しかしながら、本発明は、後述する実施形態に何ら限定されるものではなく、異なる様々な形態に実現可能である。
【００２１】
但し、本実施形態は、本発明の開示を完全たるものにし、本発明の属する技術分野における通常の知識を有する者に発明の範疇を完全に知らせるために提供されるものであり、本発明は、請求の範囲によってのみ定義される。
【００２２】
以下、図１を参照して、本発明の一実施形態に係る紫外線屈曲型殺菌機について概括的に説明する。
【００２３】
図１は、本発明の一実施形態に係る紫外線屈曲型殺菌機の斜視図である。本発明の紫外線屈曲型殺菌機１は、中央紫外線ランプ３０を直線状または屈曲状に形成して適用した形態とすることができる。
【００２４】
本発明の一実施形態に係る紫外線屈曲型殺菌機１は、支持部１２には屈曲状中央反射部２０が設けられ、屈曲状中央反射部２０には中央紫外線ランプ３０が設けられ、支持部の上端には上端紫外線ランプ７０が設けられているので、屈曲型殺菌機１を中心として紫外線を上下左右に重畳照射して殺菌する。
【００２５】
特に、本発明の紫外線屈曲型殺菌機１は、中央反射部２０が、一方の端と他方の端とが長さの中心を基準として鋭角に屈曲するように形成されているため、設けられた中央紫外線ランプ３０から放出される紫外線を広角に重畳照射する。また、６つの中央紫外線ランプが広角に紫外線を照射すると、それぞれの屈曲状中央反射部２０は、光の光学特性により紫外線を３６０度全方向に重畳反射照射させる。
【００２６】
これにより、紫外線屈曲型殺菌機１は、紫外線が重畳する箇所の殺菌力を高めることができる。特に、人の手が頻繁に触れる箇所に紫外線が重畳するように設計されているので、床面まで３６０度全方位方向に照射殺菌できるようになっている。したがって、殺菌効率を最大化することができる。
【００２７】
また、本発明の紫外線屈曲型殺菌機１は、電源供給装置１１と連結された制御部１８を含み、制御部１８を介して中央紫外線ランプ３０及び上端紫外線ランプ７０から様々な強度の紫外線を放出することができる。
【００２８】
したがって、紫外線屈曲型殺菌機１は、殺菌領域および紫外線照射可能時間に対応して紫外線強度を調整することにより、殺菌したい箇所を効果的に殺菌することができる。
【００２９】
また、紫外線屈曲型殺菌機１は、電源供給装置１１と連動して物体の動きを感知する動作感知センサー１３を含み、動作感知センサー１３の感知機能の使用有無に対応して電源供給装置１１が独立して作動し、紫外線放射を制御することができる。
【００３０】
紫外線屈曲型殺菌機１は、紫外線の強度を調整する特徴及び紫外線の放出有無を制御する特徴により、人体に害を与えることなく殺菌効果を高めることができる。
【００３１】
このような紫外線屈曲型殺菌機１は、ベース部１０、屈曲状中央反射部２０、中央紫外線ランプ３０、上端反射部６０および上端紫外線ランプ７０を含む。
【００３２】
さらに、本発明の紫外線屈曲型殺菌機１は、ベース部１０にホイールバー１５１及びボルト１５２を介して着脱自在に設けられる車輪１５、動きを感知する動作感知センサー１３、及びランプ寿命緊急状態を表示する緊急表示灯１６などを含み、また、ベース部１０の支持部１２を露出させないメッシュ網シリンダー５０、及び使用者が把持して移動するためのハンドル部４０を含んでいてもよい。
【００３３】
以下、図２乃至図４を参照して、紫外線屈曲型殺菌機１に含まれる構成要素および紫外線屈曲型殺菌機１の作動について具体的に説明する。
【００３４】
図２は、図１の紫外線屈曲型殺菌機の分解斜視図であり、図３は、図２のホルダーアングルの作動状態を示す作動図であり、図４の（ａ）は、図１の紫外線屈曲型殺菌機の作動により一つのランプにおいて紫外線が重畳する領域を示す図であり、図４の（ｂ）は、図１の紫外線屈曲型殺菌機の作動によりすべてのランプにおいて紫外線が重畳する領域を示す図である。
【００３５】
ベース部１０は、紫外線屈曲型殺菌機１の台座となる。ベース部１０は、内部空間に設けられた電源供給装置１１を含み、外側面に設けられる制御部１８を含み得る。
【００３６】
また、ベース部１０は、上端面の電源供給装置１１と、中央紫外線ランプ３０の寿命と関連して緊急状態を表示する緊急表示灯１６とを含み得る。
【００３７】
制御部１８は、電源供給装置１１と連結されて使用者および設定によって電源供給装置１１の作動を制御することができる。例えば、制御部１８は、使用者の操作により電源供給装置１１に異なる信号を送信し、中央紫外線ランプ３０または上端紫外線ランプ７０の作動を制御することができる。そして、電源供給装置１１に異常が生じて、安定した電源供給ができない場合、緊急表示灯１６に信号を送信して、緊急表示灯１６を点灯させることで、使用者が電源供給装置１１または中央紫外線ランプ３０に異常があると認識できるようにする。
【００３８】
また、ベース部１０は、上端部に床面と垂直な方向に設けられた支持部１２を含み、側面部または下端部に貫通した通気口１４を含む。このとき、通気口１４は、側面部に長方形状に穿孔されており、外部からの空気が流入したり、電源供給装置１１から発生する熱を外部に放出したりすることができる。さらに、通気口１４には通気口網１７が設けられており、通気口網１７により、外部からベース部１０の内部、すなわち電源供給装置１１に異物が流入することを防止することができる。
【００３９】
さらに、ベース部１０の上面の中央には、円筒状の支持部１２が設けられている。支持部１２の外周面には、複数の屈曲状中央反射部２０が設けられている。
【００４０】
支持部１２には、支持部１２と垂直な方向、すなわち、ベース部１０と平行な方向に突出する支持バー１２１が形成されてもよい。
【００４１】
支持バー１２１は、複数本で形成されており、屈曲状中央反射部２０が支持部１２に強固に固定されるようにする。支持バー１２１は、支持部１２の外周面に６０度間隔で設けられ、角度が様々に変更されることがある。
【００４２】
すなわち、支持部１２の外周面に６本の支持バー１２１が設けられてもよい。このような支持バー１２１の一端には、ボルトが挿入される穴にタップ（Ｔａｐ）が形成されていて、中央反射部２０が穴にボルト・ナットで固定される。
【００４３】
このとき、支持バー１２１を中央反射部２０の中心部に位置させて、組み立てると、中央反射部２０の下側面がベース部１０の上端面に当接して固定される。各屈曲状中央反射部２０をベース部１０に当接させることで、支持部１２の揺れを防止し、バランスを取りながら装置の安定性を確保することができる。
【００４４】
屈曲状中央反射部２０は、支持バー１２１によって固定され、ベース部１０に垂直な方向に設けられてもよい。
【００４５】
屈曲状中央反射部２０は、一側面に中央紫外線ランプ３０が設けられており、中央紫外線ランプ３０から出力された紫外線を屈曲状反射部で反射する。すなわち、屈曲状中央反射部２０は、中央紫外線ランプ３０から出力されるビームの照射角度を広げて重ね合わせるので、ランプから放射される紫外線により滅菌効果を最大限に高める屈曲状反射笠である。
【００４６】
屈曲状中央反射部２０は、長さの中央を中心として一方の側と他方の側が支持部１２から同じ角度で傾斜しており、中央紫外線ランプ３０から出力される紫外線を広角に拡張反射させることができる。このとき、屈曲状中央反射部２０は、支持部１２から鋭角に傾斜した屈曲形状に形成されていてもよい。
【００４７】
例えば、図５において、屈曲状中央反射部２０は、一方の端と他方の端が支持部１２に向かってθ１度屈曲して、断面がトロフィータイプの一部形状に形成されてもよく、または、支持部１２からθ２度屈曲して、断面がダイヤモンドタイプの一部形状に形成されてもよい。
【００４８】
このような屈曲状中央反射部２０の屈曲形状に応じた中央紫外線ランプの作動及び作動効果についての内容は、図５から図７に基づいて説明する。
【００４９】
屈曲状中央反射部２０の外側には、使用者が紫外線屈曲型殺菌機１を移動させるために把持するハンドル部４０が設けられてもよい。
【００５０】
ハンドル部４０は、ベース部１０の上面に固定される垂直棒４２と、垂直棒４２と垂直棒４２とを連結する把持部４１と、把持部４１と把持部４１とを連結する水平棒４３とからなっている。このとき、ハンドル部４０は、中央紫外線ランプの高さ以上に形成されてもよい。
【００５１】
使用者は、ハンドル部４０を用いて、腰を曲げることなく楽な姿勢で紫外線屈曲型殺菌機１を移動させることができる。
【００５２】
さらに、ハンドル部４０は、内側に中央紫外線ランプ３０、屈曲状中央反射部２０、メッシュ網シリンダー５０、支持バー１２１の順に配置されているため、装置を保護する役割も果たす。
【００５３】
メッシュ網シリンダー５０は、屈曲状中央反射部２０と支持部１２との間に設けられてもよい。メッシュ網シリンダー５０は、中空形状に形成されて内部に支持部１２を収容することで、支持部１２が外部から見えないようにし、支持部１２及び内部配線を保護し、廃熱を排出しやすくする。
【００５４】
また、メッシュ網シリンダー５０の上端部には、木粉、アセトン、植物油およびその他の添加物が練り込まれて形成された木製パネル５１が装着されてもよい。木製パネル５１は、メッシュ網シリンダーの直径以下のドーナツ状に形成され、メッシュ網シリンダー５０の上端に固定される。木製パネル５１は、一方の面に上  端反射部６０が安定して固定できるようにする。
【００５５】
また、メッシュ網シリンダー５０の外周面には、複数の穿孔が形成されており、穿孔を介して、中央紫外線ランプ３０が設けられた屈曲状中央反射部２０が支持バー１２１に連結される。
【００５６】
中央紫外線ランプ３０は、紫外線を放出する。本明細において、中央紫外線ランプ３０は、紫外線の中でも殺菌力の高い波長２００ｎｍ〜２８０ｎｍの紫外線、すなわち、ＵＶ−Ｃを放出するランプとなっている。特に、最も効果的な殺菌効果を有する波長２５４ｎｍのランプを使用する。
【００５７】
中央紫外線ランプ３０は、石英ガラス材質で形成され、屈曲状中央反射部２０の屈曲形状に対応して変形されてもよい。本発明の一実施形態に係る紫外線屈曲型殺菌機１の中央紫外線ランプ３０は、屈曲型ランプである。但し、中央紫外線ランプ３０は、屈曲状に限らず、直線状に形成されてもよい。
【００５８】
図３に示すように、中央紫外線ランプ３０は、中央紫外線ランプの一方の端および他方の端にそれぞれ設けられるホルダー３１と、ホルダー３１に組み付けられたホルダーアングル３２とを介して中央反射部２０に固定される。
【００５９】
ホルダー３１は、中央紫外線ランプ３０を屈曲状中央反射部２０に固定する役割をし、中央紫外線ランプ３０に出力される紫外線の反射光から中央紫外線ランプ３０コネクタや、中央紫外線ランプ３０から伸びた電線などを保護する役割もする。
【００６０】
ホルダーアングル３２は、ホルダー３１に螺合されるもので、ねじを締め付けたり緩めたりしながら、直線状または屈曲状の中央紫外線ランプ３０の形態に合わせて位置を調整して固定することができる。すなわち、ホルダーアングル３２とホルダー３１とは、ホルダー３１の位置角度を調整可能なように連結されている。
【００６１】
したがって、ホルダーアングル３２とホルダー３１との間のねじを緩めてホルダー３１の角度を一方から他方に調整した後、再度ねじを締めることでホルダー３１の位置角度を調整することができる。特に屈曲型ランプの適用に応じて、紫外線屈曲型殺菌機１の外形も変えることができる。
【００６２】
図４（ａ）に示すように、紫外線屈曲型殺菌機１は、特定の空間に配置されており、中央紫外線ランプ３０の一つの領域から上下に照射して重畳範囲を有する（一部の領域のみを表示）。図４（ｂ）に示すように、すべての中央紫外線ランプ３０の重畳領域を全体表示すると、紫外線を３６０度全方位及び床面まで隅々まで照射することができる。
【００６３】
特に、紫外線屈曲型殺菌機１は、支持部１２の上端に固設された上端反射部６０と、上端反射部６０の収容空間に設けられ、外側に向かって紫外線を照射する上端紫外線ランプ７０とを介して、特定空間の天井面に紫外線を照射することができる。また、紫外線屈曲型殺菌機１は、屈曲状中央反射部２０を介して、一つの中央紫外線ランプ３０ａと隣接した他の中央紫外線ランプ３０ｂからの紫外線が、部分的に重畳して床面まで照射することができる。
【００６４】
このとき、紫外線屈曲型殺菌機１は、ベース部１０の一側面に形成された通気口１４を介して空気を流入させ、電源供給装置１１から発生する熱を、煙突の役割をする支持部１２を介して外部に排出させることにより、電源供給装置１１を安定的に駆動できるようにする。さらにこれにより、中央紫外線ランプ３０及び上端紫外線ランプ７０を安全的に作動できるようにする。
【００６５】
なお、紫外線屈曲型殺菌機１には、物体の動きを感知する動作感知センサー１３がベース部１０の一側面に一定の間隔で設けられて、紫外線屈曲型殺菌機１が物体や人の動きを感知したとき、中央紫外線ランプ３０及び上端紫外線ランプ７０から紫外線が放出されないようにする。
【００６６】
例えば、中央紫外線ランプ３０及び上端紫外線ランプ７０から紫外線を放出しているとき、動作感知センサー１３が人の動きを感知すると、動作感知センサー１３は、制御部１８に信号を送信する。その後、制御部１８は、電源供給装置１１の作動を止め、中央紫外線ランプ３０及び上端紫外線ランプ７０から紫外線放出を防ぐために電源を遮断することができる。
【００６７】
以下、図５から図７を参照して、本発明の他の実施形態に係る紫外線屈曲型殺菌機について説明する。
【００６８】
図５は、本発明の他の実施形態に係る紫外線屈曲型殺菌機の斜視図であり、図６は、図５の（ｄ）の正面写真及び上端面写真を示す図である。また、図７は、図５の紫外線屈曲型殺菌機から照射される紫外線の重畳分布状態を示す図である。
【００６９】
まず、図５の（ａ）は、屈曲型ランプトロフィータイプ１−１であり、図５の（ｂ）は、屈曲型ランプダイヤモンドタイプ１−２であり、図５の（ｃ）は、直線型ランプトロフィータイプ１−３であり、図５の（ｄ）は、直線型ランプ六角形トロフィータイプ１−４である。また、図６の（ａ）は、図５の（ｄ）の正面状態を示す写真であり、図６の（ｂ）は、図５の（ｄ）の上端面状態を示す写真である。
【００７０】
図７は、図５の紫外線屈曲型殺菌機の二種類の製品から照射される紫外線の重畳分布状態を示す図である。トロフィータイプ及びダイヤモンドタイプは、現在市販の従来品よりも多くの重畳領域を有する。特に、トロフィータイプは、多くの重畳領域を形成するので、他の製品よりも滅菌効果が高い場合がある。
【００７１】
本発明の他の実施形態に係る紫外線屈曲型殺菌機では、中央紫外線ランプ及び屈曲状中央反射部を除いた他の構成要素は、本発明の一実施形態の紫外線屈曲型殺菌機と実質的に同一である。
【００７２】
したがって、本発明の他の実施形態の説明を簡略化するために、本発明の一実施形態と重複する構成要素についての説明は省略し、異なる構成要素についてのみ説明する。
【００７３】
図５の（ａ）に示す紫外線屈曲型殺菌機１−１は、屈曲状中央反射部２０−１の屈曲形状に対応して屈曲した中央紫外線ランプ３０−１を含む。
【００７４】
中央紫外線ランプ３０−１は、屈曲状中央反射部２０−１を介して紫外線を広角に散乱させ、図７の（ａ）に示すように、広い領域で紫外線を重畳させて広い紫外線重畳領域Ｓ１を形成することができる。
【００７５】
このような紫外線重畳領域Ｓ１は、上端紫外線ランプ７０の紫外線領域と一部重畳しており、天井の隅部の殺菌効果を高めることができる。
【００７６】
図５の（ｂ）に示す紫外線屈曲型殺菌機１−２は、図５の（ａ）に示す屈曲状中央反射部２０−１の屈曲形状とは異なり、屈曲状中央反射部２０−２の一方の端と他方の端が支持部１２の内側方向にθ２度の角度で傾斜している形状、すなわち、ダイヤモンドタイプの一部であってもよい。このとき、θ２は、前述のθ１と同じ角度であってもよい。
【００７７】
図７の（ｂ）に示すように、中央紫外線ランプ３０−２は、外側に突出した形状であるため、複数の中央紫外線ランプ３０−２の間で紫外線重畳領域がトロフィータイプに比べて多少狭くなるという欠点があるが、天井部では紫外線重畳領域が多少増える。紫外線重畳領域Ｓ１が同じ方式で存在するため、前記二つの方式は両方とも、実生活で人の手が最も接触しやすい領域に紫外線を集中的に照射できる構造である。
【００７８】
図５の（ｃ）に示す紫外線屈曲型殺菌機１−３は、従来の直線型中央紫外線ランプ３０を適用した例である。図５の（ｃ）は、直線型ランプトロフィータイプである。トロフィータイプでは、ランプの形状を様々に変形することができる。
【００７９】
図５の（ｄ）に示す紫外線屈曲型殺菌機１−４は、従来の直線型中央紫外線ランプ３０を適用した例である。図５の（ｄ）は、直線型ランプ六角形（任意角形）トロフィータイプであり、様々な方向への変形が可能である。
【００８０】
図６の（ａ）及び図６の（ｂ）は、図５の（ｄ）直線型ランプを適用した紫外線屈曲型殺菌機１−４を作動させた際に紫外線が分布及び重畳する正面写真及び上端面写真である。
【００８１】
ここで、図６の（ａ）の正面写真を見ると、反射鏡により、１つのランプによる光源が３つのランプが照射しているように見え、重畳して放射しているように見える。図６の（ｂ）の上端面写真を見ると、前述の紫外線重畳部分が床面でも鮮明に表れている。
【００８２】
一方、既存の製品は、天井を含めて床の隅などを殺菌することが困難であり、しかも、人の手が多く触れる部分に紫外線重畳領域がほとんどない構造であるため、殺菌するためには長時間使用する必要があるという欠点がある。
【００８３】
以下、図８及び図９のデータを参照して、本発明の紫外線屈曲型殺菌機の照射量データと、従来の紫外線殺菌機の照射量のデータとを比較分析して、本発明の紫外線屈曲型殺菌機の殺菌効果について詳細に説明する。
【００８４】
図８は、本発明の紫外線屈曲型殺菌機の照射量と従来紫外線殺菌機の照射量とを示すデータであり、図９は、本発明の紫外線屈曲型殺菌機の殺菌性能を立証する資料データである。
【００８５】
データに記載されているＦＨＩ  ＵＶ−Ｃは、本発明の一実施形態および他の実施形態に係る紫外線屈曲型殺菌機である。また、ＵＶ−Ｃは従来の紫外線殺菌機である。
【００８６】
本実験のデータは、２つの直線型ランプを用いて実験した結果である。
【００８７】
本発明の紫外線屈曲型殺菌機（ＦＨＩ  ＵＶ−Ｃ）は、照射面から１ｍ離れている場合、上面の１ｃｍ２当たり約３１９μＷ、壁面の１ｃｍ２当たり約４２０μＷ、および床面の１ｃｍ２当たり約３２０μＷの紫外線を照射することができる。このとき、紫外線屈曲型殺菌機（ＦＨＩ  ＵＶ−Ｃ）の直線型中央紫外線ランプ３０は、長さ１ｍ、直径２０ｍｍに形成され、１２７Ｗａｔｔを出力するランプである。
【００８８】
このような形状及び機能を備えた２つの直線型中央紫外線ランプ３０を含む紫外線屈曲型殺菌機（ＦＨＩ  ＵＶ−Ｃ）は、５分間、上面に累積照射量９５７００μＷｓ／ｃｍ２、壁面に１２６０００μＷｓ／ｃｍ２、床面に９６０００μＷｓ／ｃｍ２の紫外線を照射することができる。
【００８９】
そして、紫外線をさらに５分間照射すると、上面に１８７５００μＷｓ／ｃｍ２、壁面に２４７８００μＷｓ／ｃｍ２、床面に１８５４００μＷｓ／ｃｍ２を照射することができ、紫外線をまたさらに５分間照射すると、上面に２７９３００μＷｓ／ｃｍ２、壁面に３６７２００μＷｓ／ｃｍ２、床面に２７７８００μＷｓ／ｃｍ２を照射することができる。ここで、６つの中央紫外線ランプを使用する場合は、上に列挙された値よりも高い値が得られる可能性がある。
【００９０】
一方、中央紫外線ランプと同じランプが設けられた従来の紫外線殺菌機ＵＶ−Ｃは、照射面から１ｍ離れている場合、上面の１ｃｍ２当たり約２５５μＷ、壁面の１ｃｍ２当たり約３７８μＷ、および床面の１ｃｍ２当たり約２６６μＷの紫外線を照射することができる。
【００９１】
そこで、従来の紫外線殺菌機（ＵＶ−Ｃ）は、５分間、上面に７６５００μＷｓ／ｃｍ２、壁面に１１３４００μＷｓ／ｃｍ２、床面に７９８００μＷｓ／ｃｍ２の紫外線を照射することができ、紫外線をさらに５分間照射すると、上面に１５２４００μＷｓ／ｃｍ２、壁面に２２１４００μＷｓ／ｃｍ２、床面に１５７８００μＷｓ／ｃｍ２を照射することができ、紫外線をさらにまた１０分間照射すると、上面に２２８３００μＷｓ／ｃｍ２、壁面に３２９４００μＷｓ／ｃｍ２、床面に２３５５００μＷｓ／ｃｍ２を照射することができる。
【００９２】
本発明の紫外線屈曲型殺菌機（ＦＨＩ  ＵＶ−Ｃ）は、従来の紫外線屈曲型殺菌機（ＵＶ−Ｃ）に比べて、上面では２０％以上、壁面では１０％以上、および床面では１５％以上の紫外線照射量を高めることができる。６つの中央紫外線ランプ３０を使用する場合は、上に列挙された効率よりも高い効率が得られる可能性がある。
【００９３】
このような紫外線屈曲型殺菌機（ＦＨＩ  ＵＶ−Ｃ）は、高められた紫外線照射量により、６６００μＷｓ／ｃｍ２で滅菌されているバクテリオファージ（Ｂａｏｔｅｒｉｏｐｈａｇｅ）、８０００μＷｓ／ｃｍ２で滅菌されている肝炎ウイルス（ｈｅｐａｔｉｔｉｓ  ｖｉｒｕｓ）、６６００μＷｓ／ｃｍ２で滅菌されているインフルエンザウイルスなどを完全かつ迅速に除去し得る。
【００９４】
図９は、本発明の紫外線屈曲型殺菌機の殺菌性能を立証する資料データである。
【００９５】
図９の資料データは、０．２７ｍ×０．３０ｍ×０．３ｍの小さなチャンバーにおいて波長２５３．７ｎｍのＵＶ−Ｃランプを用いて１２０μＷ／ｃｍ２の強度で約５分間照射し、Ｒｏｏｍ  Ｈｕｍｉｄ(ＲＨ）５５％の状態で行われた実験からのデータである。図９に示す各サンプルのウイルスは、各種ウイルスの中で代表的なものである。
【００９６】
図９のグラフからわかるように、Ｘ軸照射量３０，０００μＷｓ／ｃｍ２ほどの照射量であれば、すべてのウイルスは、Ｙ軸生存率０．００１％以下の生存率を示す。これは０．３ｍの距離で得られた結果であるが、図８のＦＨＩ  ＵＶ−Ｃと比較すると、４ｍの距離で１５分間照射した量と類似し、１ｍの距離では約３分間照射した量と類似している。
【００９７】
換言すれば、それは、すべての種類のウイルスが、最大半径４ｍで短時間に生き残ることができないことを意味する。
【００９８】
以上、添付図面を参照して本発明の実施形態について説明したが、本発明が属する技術分野における通常の知識を有する者は、本発明が、その技術的思想や必須の特徴を変更せず、他の具体的な形態で実施され得るということを理解できるであろう。したがって、以上で記述した実施形態は、すべての面で例示的なものであり、限定的ではないと理解しなければならない。
【図１】
2021514286.tif 000003
【図２】
2021514286.tif 000004
【図３】
2021514286.tif 000005
【図４】
2021514286.tif 000006
【図５】
2021514286.tif 000007
【図６】
2021514286.tif 000008
【図７】
2021514286.tif 000009
【図８】
2021514286.tif 000010
【図９】
2021514286.tif 000011
【国際調査報告】
2021514286.tif 000012
2021514286.tif 000013
2021514286.tif 000014
2021514286.tif 000015